(57)【要約】【課題】  構造の簡素化及び部品点数の削減を図る。【解決手段】  ベース体４８に配置されたスピンドルモーター５０と、該スピンドルモーターの回転に伴って回転されるディスクテーブル８１と、ディスク状記録媒体１００の半径方向へ移動自在に支持された光ピックアップ５１と、ベース体に対して着脱可能とされた組付板８０とを設け、光ピックアップにディスク状記録媒体の半径方向への移動時に案内される被案内部５１ｂを設け、ディスクテーブルの外周面には周方向に延びる被規制溝８５ｆを形成し、組付板に、ディスクテーブルの被規制溝に挿入されディスクテーブルの中心軸の軸方向への移動を規制する規制部８０ｄと、光ピックアップの被案内部に係合され光ピックアップをディスク状記録媒体の半径方向へ案内する案内部８０ｇとを一体に設けた。【選択図】        図８
2005038528.tif 000002
【特許請求の範囲】
【請求項１】
ベース体に配置されたスピンドルモーターと、
該スピンドルモーターのモーター軸とされる中心軸に固定されスピンドルモーターの回転に伴って回転されるディスクテーブルと、
該ディスクテーブルに装着されるディスク状記録媒体の半径方向へ移動自在に支持された光ピックアップと、
ベース体に対して着脱可能とされた組付板とを備え、
光ピックアップにはディスク状記録媒体の半径方向への移動時に案内される被案内部が設けられ、
ディスクテーブルの外周面には周方向に延びる被規制溝が形成され、
組付板に、ディスクテーブルの被規制溝に挿入されディスクテーブルの中心軸の軸方向への移動を規制する規制部と、光ピックアップの被案内部に係合され光ピックアップをディスク状記録媒体の半径方向へ案内する案内部とを一体に設けた
ことを特徴とするディスクドライブ装置。
【請求項２】
上記組付板の厚み方向と直交する方向に開口された切欠を形成し、
該切欠の開口縁を上記規制部とし、
該規制部の少なくとも一部を円弧状を為す円弧部として形成した
ことを特徴とする請求項１に記載のディスクドライブ装置。
【請求項３】
上記円弧部を中心角が１８０°以上の円弧状に形成した
ことを特徴とする請求項２に記載のディスクドライブ装置。
【請求項４】
上記組付板を磁性材料によって形成し、
光ピックアップの被案内部に上記中心軸の軸方向への吸引力を発生して案内部に引き寄せられるマグネットを設けた
ことを特徴とする請求項１に記載のディスクドライブ装置。
【発明の詳細な説明】
【技術分野】
【０００１】
本発明はディスクドライブ装置に関する。詳しくは、ベース体に取り付けられる組付板に各種の機能を有する部分を一体に設け、構造の簡素化及び部品点数の削減を図る技術分野に関する。
【背景技術】
【０００２】
光ディスクや光磁気ディスク等のディスク状記録媒体に対して情報信号の記録や再生を行うことができるディスクドライブ装置には、ディスクテーブルに装着されたディスク状記録媒体の半径方向へ移動され該ディスク状記録媒体に対してレーザー光を照射する光ピックアップが設けられている。
【０００３】
このような光ピックアップは、例えば、ベースユニットの一部として設けられ、該ベースユニットは一方に開口された箱状を為すベース体と該ベース体の開口を閉塞する組付板とから成る筐体に光ピックアップやディスクテーブル等の所要の各部が配置されて成る。
【０００４】
光ピックアップをディスク状記録媒体の半径方向へ移動させるためには案内機構が必要であり、この案内機構には、例えば、平行な２本のガイドシャフトを備えたものがある（例えば、特許文献１参照）。２本のガイドシャフトは、光ピックアップの移動ベースに設けられた２つの被案内部（軸受部）にそれぞれ摺動自在に挿通され、光ピックアップが２本のガイドシャフトに案内されてディスク状記録媒体の半径方向へ移動される。
【０００５】
一方、ディスク状記録媒体が装着されるディスクテーブルは、例えば、スピンドルモーターのモーター軸となる中心軸を介してスピンドルモーターに固定され、該スピンドルモーターの回転に伴って回転される。スピンドルモーターはローター部とステーター部とを備え、ローター部が中心軸を中心としてステーター部に対して回転される。
【０００６】
ディスクドライブ装置にあっては、その輸送時に発生する振動や落下等による衝撃によってスピンドルモーターのローター部がステーター部から脱落することを防止するための脱落防止機構が設けられている。
【０００７】
従来のディスクドライブ装置にあっては、図３８に示すように、スピンドルモーターａのローター部ｂに固定された中心軸ｃにディスクテーブルｄが固定され、ベース体ｅに配置されたステーター部ｆのステーター基板ｇに抜け止め部材ｈが取付ネジｉによって取り付けられて脱落防止機構が構成されていた。
【０００８】
【特許文献１】特開平９―１９８６８６号公報
【発明の開示】
【発明が解決しようとする課題】
【０００９】
ところが、上記した従来のディスクドライブ装置にあっては、光ピックアップを案内する案内機構として、専用のガイドシャフトが２本必要であり、部品点数が多く、機構も複雑となり、製造コストが高いという問題がある。
【００１０】
また、ベースユニットの組立時には、２本のガイドシャフトや抜け止め部材ｈを取り付けた上で組付板をベース体ｅに取り付ける必要があり、逆に、ベースユニットのメンテナンス時には、先ず、組付板をベース体ｅから取り外し、次に、ガイドシャフトや抜け止め部材ｈを取り外す必要があり、工数が多く手間がかかるという問題もある。
【００１１】
一方、抜け止め部材ｈを樹脂材料によって形成すれば製造コストの低下を図ることができるが、この場合には、大きな振動や衝撃が発生したときに、抜け止め部材ｈが破損し脱落防止機構の機能が損なわれるおそれがある。
【００１２】
そこで、本発明ディスクドライブ装置は、上記した問題点を克服し、構造の簡素化及び部品点数の削減を図ることを課題とする。
【課題を解決するための手段】
【００１３】
本発明ディスクドライブ装置は、上記した課題を解決するために、ベース体に配置されたスピンドルモーターと、該スピンドルモーターのモーター軸とされる中心軸に固定されスピンドルモーターの回転に伴って回転されるディスクテーブルと、該ディスクテーブルに装着されるディスク状記録媒体の半径方向へ移動自在に支持された光ピックアップと、ベース体に対して着脱可能とされた組付板とを設け、光ピックアップにディスク状記録媒体の半径方向への移動時に案内される被案内部を設け、ディスクテーブルの外周面には周方向に延びる被規制溝を形成し、組付板に、ディスクテーブルの被規制溝に挿入されディスクテーブルの中心軸の軸方向への移動を規制する規制部と、光ピックアップの被案内部に係合され光ピックアップをディスク状記録媒体の半径方向へ案内する案内部とを一体に設けたものである。
【００１４】
従って、本発明ディスクドライブ装置にあっては、組付板がディスクテーブル及びスピンドルモーターの脱落防止機構並びに光ピックアップの案内機構として機能する。
【発明の効果】
【００１５】
本発明ディスクドライブ装置は、ベース体に配置されたスピンドルモーターと、該スピンドルモーターのモーター軸とされる中心軸に固定されスピンドルモーターの回転に伴って回転されるディスクテーブルと、該ディスクテーブルに装着されるディスク状記録媒体の半径方向へ移動自在に支持された光ピックアップと、ベース体に対して着脱可能とされた組付板とを備え、光ピックアップにはディスク状記録媒体の半径方向への移動時に案内される被案内部が設けられ、ディスクテーブルの外周面には周方向に延びる被規制溝が形成され、組付板に、ディスクテーブルの被規制溝に挿入されディスクテーブルの中心軸の軸方向への移動を規制する規制部と、光ピックアップの被案内部に係合され光ピックアップをディスク状記録媒体の半径方向へ案内する案内部とを一体に設けたことを特徴とする。
【００１６】
従って、ディスクテーブルの脱落を防止するための専用の部材及び光ピックアップを案内するための専用の部材を必要とせず、ディスクドライブ装置の構造の簡素化及び部品点数の削減を図ることができる。
【００１７】
また、専用の各部材をベース体に取り付けるための工程を必要としないため、ディスクドライブ装置の各部品の組付工数が減少し、組付作業における作業性の向上及びメンテナンス性の向上を図ることができる。
【００１８】
請求項２に記載した発明にあっては、上記組付板の厚み方向と直交する方向に開口された切欠を形成し、該切欠の開口縁を上記規制部とし、該規制部の少なくとも一部を円弧状を為す円弧部として形成したので、組付板を凹部の開口方向へ移動させるようにしてベース体に対して着脱することができ、組付板のベース体に対する着脱を容易に行うことができる。
【００１９】
請求項３に記載した発明にあっては、上記円弧部を中心角が１８０°以上の円弧状に形成したので、ディスクテーブルの脱落方向への移動を規制する規制力が分散され、規制部による規制力の向上を図ることができる。
【００２０】
請求項４に記載した発明にあっては、上記組付板を磁性材料によって形成し、光ピックアップの被案内部に上記中心軸の軸方向への吸引力を発生して案内部に引き寄せられるマグネットを設けたので、マグネットが組付板の案内部に引き寄せられ、光ピックアップがフォーカシング方向への振れがない安定した状態でディスク状記録媒体の半径方向へ移動され、情報信号の記録エラー及び再生エラーの発生を防止することができる。
【発明を実施するための最良の形態】
【００２１】
以下に、本発明を実施するための最良の形態を添付図面に従って説明する。
【００２２】
ディスクドライブ装置１は、例えば、記録媒体としてディスク状記録媒体に対して情報信号の記録や再生を行う装置であり、カバー２とベース体３と該ベース体３に配置された所要の各部材及び各機構によって構成されている（図１及び図２参照）。
【００２３】
カバー２はガラスや樹脂等の透明材料によって形成され、下方に開口された一方向に長い略蒲鉾状に形成されている。カバー２は横断面形状で略円弧状を為す覆い部２ａと該覆い部２ａの長手方向における両端部に位置する側面部２ｂ、２ｂとが一体に形成されて成る。
【００２４】
尚、以下の説明にあっては、カバー２の長手方向を前後方向とし、これに直交する方向をそれぞれ上下方向及び左右方向とする。
【００２５】
カバー２の長手方向に延びる一方の下面は被検出部４として形成されている（図３参照）。被検出部４は前方側から第１の非反射部４ａ、反射部４ｂ及び第２の非反射部４ｃによって構成されている。第１の非反射部４ａは被検出部４の前端部に形成され、反射部４ｂは第１の非反射部４ａに連続され被検出部４の長手方向における略中央部まで形成され、第２の非反射部４ｃは反射部４ｂを挟んで第１の非反射部４ａの反対側にカバー２の後端部まで形成されている。反射部４ｂは、例えば、カバー２の下面にアルミ蒸着等が施されることによって形成されている。非反射部４ａ、４ｃは、例えば、カバー２の下面に光吸収膜が施されることによって形成されている。尚、非反射部４ａ、４ｃは、例えば、カバー２の下面に光透過膜が施されることによって形成されていてもよい。
【００２６】
ベース体３は、図１及び図２に示すように、ベースパネル５と該ベースパネル５の下側に位置するボトムパネル６とが結合されて成り、該ボトムパネル６は上方に開口された前後方向に長い箱状に形成されている。
【００２７】
ベースパネル５は、図４に示すように、略平板状に形成されたベース部７と該ベース部７から下方へ突出された支持筒部８、８、８とが一体に形成されて成る。
【００２８】
ベース部７の左側縁には、長手方向に離隔して４つの透過孔７ａ、７ａ、・・・が形成されている（図１及び図２参照）。
【００２９】
ベース部７の右側縁には、長手方向に離隔して複数の操作釦９、９、・・・が配置されている。操作釦９、９、・・・としては、例えば、電源のオン・オフを行うための電源釦、カバー２の開閉動作を行うためのオープン釦及びクローズ釦、ディスク状記録媒体１００に記録された情報信号の再生を行うためのプレイ釦、再生状態を一時停止するための一時停止釦、再生動作を停止するためのストップ釦、音量の変更を行うためのボリューム釦等が設けられている。
【００３０】
ベース部７の長手方向における前端側には記録媒体載置部１０が設けられている（図１、図２及び図４参照）。
【００３１】
記録媒体載置部１０は平面で見て円形状を為す浅い凹状に形成され、底面がディスク載置面１１として形成されている。ディスク載置面１１は、緩やかな凹曲面、例えば、球面に形成され、その中央点は最も下方に位置された基準点１１ａとして形成されている。記録媒体載置部１０には、上下に貫通されたセンサー孔１０ａ、１０ａ、１０ａが形成されている。
【００３２】
ベースパネル５の支持筒部８、８、８はディスク載置面１１の外周側の部分から下方へ突出され、上方に開口されている（図４参照）。従って、ベース部７には３つの開口７ｂ、７ｂ、７ｂが形成され、該開口７ｂ、７ｂ、７ｂはディスク載置面１１とその直ぐ外側の部分に跨って形成されている。支持筒部８、８、８は周方向に等間隔に離隔して設けられ、その各中心軸と基準点１１ａとの放射方向における距離が同じにされている。
【００３３】
支持筒部８は上下に長い円弧面部１２と該円弧面部１２の下側開口を閉塞する閉塞面部１３とから成り、円弧面部１２と閉塞面部１３の基準点１１ａ側の部分は切り欠かれ、この切欠が配置用切欠８ａとして形成されている。
【００３４】
ベース体３の内部には、透過孔７ａ、７ａ、・・・の下側に、それぞれ第１のセンサー１４、第２のセンサー１５、第３のセンサー１６、第４のセンサー１７が配置されている。第１のセンサー１４、第２のセンサー１５、第３のセンサー１６及び第４のセンサー１７は、例えば、反射型の光センサーであり、カバー２の被検出部４の位置を検出する検出手段として機能し、発光部から発光された検出光を受光部で受光してＯＮ状態とされる。
【００３５】
ベース体３の内部には、記録媒体載置部１０に形成されたセンサー孔１０ａ、１０ａ、１０ａの真下の位置に、それぞれ検出センサー１８、１８、１８が配置されている。検出センサー１８、１８、１８はディスク状記録媒体１００の有無を検出する機能を有している。ディスク状記録媒体１００がディスク載置面１１の上方に位置されているときに、検出センサー１８、１８、１８から出射されセンサー孔１０ａ、１０ａ、１０ａを透過された検出光がディスク状記録媒体１００で反射されることにより、ディスク状記録媒体１００の存在が検出される。
【００３６】
ベース体３のベース部７の上面には、平行な２つのガイド部材１９、１９が設けられている（図１参照）。ガイド部材１９、１９は、ベース部７の後端側に設けられ、ベース部７の長手方向に長く形成されている。ガイド部材１９、１９の互いに対向する面には、それぞれ前後に延びる図示しないガイド溝が形成されている。
【００３７】
ガイド部材１９、１９間の空間は、その記録媒体載置部１０側の略半部がユニット収容部１９ａとして形成されている。ユニット収容部１９ａにはベースユニット２０が収容可能とされている。ガイド部材１９、１９間には、ユニット収容部１９ａを挟んで記録媒体載置部１０の反対側にベースユニット２０の動作制御を行うためのコントロール基板２１が配置されている。
【００３８】
ベースユニット２０及びコントロール基板２１はその下方に位置された配置ベース２２上に配置されている。配置ベース２２は前後方向に長く形成され、左右両側面にそれぞれ側方へ突出された図示しない被ガイドピンが設けられている。配置ベース２２は、被ガイドピンがガイド部材１９、１９のガイド溝に摺動自在に係合され、ガイド部材１９、１９に案内されて前後方向へ移動可能とされている。配置ベース２２の右側面には図示しないラック部が形成されている。
【００３９】
ベースパネル５には、右側に位置するガイド部材１９の右方にユニット駆動部２３が配置されている。ユニット駆動部２３は駆動用モーター２４と該駆動用モーター２４の駆動力が伝達されて回転される図示しない減速ギヤ群とを有し、該減速ギヤ群の最終段のギヤが配置ベース２２のラック部に噛合されている。従って、駆動用モーター２４が回転されると、その駆動力が減速ギヤ群を介して配置ベース２２のラック部に伝達され、駆動用モーター２４の回転方向に応じた方向へ配置ベース２２とベースユニット２０とコントロール基板２１とが一体となって前後方向へ移動される。
【００４０】
ベースパネル５には、ユニット駆動部２３の後側に表示駆動部２５が配置されている。表示駆動部２５は制御用回路基板２６と各部の動作状態等が表示される表示部２７とを有している。
【００４１】
ベースパネル５には、左側に位置するガイド部材１９の左方にカバー駆動部２８が配置されている。カバー駆動部２８は移動用モーター２９と該移動用モーター２９の駆動力が伝達されて回転される減速ギヤ群３０、３０とを有し、該減速ギヤ群３０、３０は移動用モーター２９を挟んで前後に設けられている。
【００４２】
移動用モーター２９と減速ギヤ群３０、３０にはそれぞれ図示しないプーリーが設けられ、移動用モーター２９のプーリーと減速ギヤ群３０、３０のプーリーとがそれぞれベルト３１、３１によって連結されている。従って、移動用モーター２９が回転されると、その駆動力がベルト３１、３１を介して減速ギヤ群３０、３０に伝達され、該減速ギヤ群３０、３０が移動用モーター２９の回転方向に応じた同じ方向へ同期して回転される。
【００４３】
ベースパネル５上にはギヤ体３２、３２、・・・が回転自在に支持されている。ギヤ体３２、３２、・・・はベースパネル５の左右両端部にそれぞれ２つずつが設けられ、上側に位置するローラー部３２ａ、３２ａ、・・・と下側に位置するギヤ部３２ｂ、３２ｂ、・・・とを有している。ローラー部３２ａ、３２ａ、・・・は摩擦係数の高い材料、例えば、ゴム材料等によって形成されている。
【００４４】
左側に位置するギヤ体３２、３２は、ギヤ部３２ｂ、３２ｂがそれぞれ減速ギヤ群３０、３０の最終段のギヤと噛合されている。
【００４５】
ギヤ体３２、３２、・・・は、カバー２がベースパネル５に取り付けられた状態において、ローラー部３２ａ、３２ａ、・・・がカバー２の覆い部２ａの両側の下端部内面に圧着される。従って、移動用モーター２９の駆動力が減速ギヤ群３０、３０を介して左側に位置するギヤ体３２、３２に伝達されると、カバー２が移動用モーター２９の回転方向に応じた方向へ移動される。
【００４６】
カバー２の内部にはインナーカバー３３が配置される。インナーカバー３３は樹脂等の不透明な材料によって形成され、下方に開口された前後方向に長い略蒲鉾状に形成されている。インナーカバー３３は横断面形状で円弧状を為す閉塞部３３ａと該閉塞部３３ａの長手方向における両端部に位置する側壁部３３ｂ、３３ｂとが一体に形成されて成る。閉塞部３３ａの後端部には透孔３３ｃが形成され、閉塞部３３ａの下端部には前後に離隔してそれぞれ左右に２つずつの配置用切欠３３ｄ、３３ｄ、・・・が形成されている。前側の側壁部３３ｂには下方に開口された切欠が形成され、該切欠が挿脱口３３ｅとして形成されている。
【００４７】
インナーカバー３３はガイド部材１９、１９、ベースユニット２０、コントロール基板２１、配置ベース２２、ユニット駆動部２３、表示駆動部２５及びカバー駆動部２８を閉塞するようにベースパネル５に取り付けられる。インナーカバー３３がベースパネル５に取り付けられた状態においては、透孔３３ｃに対応して表示駆動部２５の表示部２７が位置され、外部から表示部２７の表示が視認可能とされる。インナーカバー３３がベースパネル５に取り付けられた状態においては、配置用切欠３３ｄ、３３ｄ、・・・がそれぞれギヤ体３２、３２、・・・に対応して位置され、ギヤ体３２、３２、・・・の一部がインナーカバー３３から外方へ突出される。ベースユニット２０はインナーカバー３３の挿脱口３３ｅを通って前方へ移動可能とされる。
【００４８】
ベースパネル５の支持筒部８、８、８には、それぞれ回転体３４、３４、３４が回転自在に支持されている（図４参照）。回転体３４、３４、３４はディスク状記録媒体１００をセンターリングする機能を有すると共にディスク状記録媒体１００を持ち上げる機能をも有する。
【００４９】
回転体３４は略円柱状に形成され、上面３４ａはベースパネル５のディスク載置面１１に対応した緩やかな曲面に形成されている。回転体３４の上面３４ａの一端部には、上方へ突出されたディスクセンターリング部３５が設けられ、該ディスクセンターリング部３５はベース部７の開口７ｂのうちのディスク載置面１１の直ぐ外側の跨った部分に対応して形成されている。
【００５０】
回転体３４の周面は、上端部を除く部分が切り欠かかれている。回転体３４には、この切欠によって周方向に連続して第１のゼネバ面３６と被押圧面３７とが形成されている。第１のゼネバ面３６は凹状を為す円弧面に形成され、被押圧面３７は所定の形状に形成された曲面に形成されている。被押圧面３７の下端部はさらに内側に切り欠かれ、この切欠によって第２のゼネバ面３８が形成されている。
【００５１】
回転体３４には、第１のゼネバ面３６の下端部から突出された摺動ピン３９が設けられている。
【００５２】
回転体３４、３４、３４は、それぞれ支持筒部８、８、８に上側から挿入されて回転自在に支持される（図１及び図２参照）。
【００５３】
回転体３４、３４、３４がそれぞれ支持筒部８、８、８に支持され、ディスクセンターリング部３５、３５、３５がベースパネル５のうちディスク載置面１１の直ぐ外側の部分に対応して位置された状態においては、図５に示すように、ベースパネル５のディスク載置面１１と回転体３４、３４、３４の上面３４ａ、３４ａ、３４ａとが連続した曲面とされる。
【００５４】
ベースパネル５のベース部７の下面には、略円柱状に形成されたカム部材４０が回転自在に支持されている（図４参照）。
【００５５】
カム部材４０は、その周面に３つの凹部４１、４１、４１が形成されている（図６参照）。凹部４１、４１、４１はその外面が外方へ突の円弧面に形成されている。カム部材４０の周面のうち、凹部４１、４１、４１以外の面は外側周面部４２、４２、４２として形成されている。
【００５６】
カム部材４０には凹部４１、４１、４１が形成されることにより、凹部４１、４１、４１と外側周面部４２、４２、４２との間に、周方向に離隔してそれぞれ２つずつの段差部が形成されている。この段差部は、一方がそれぞれ第１の押圧部４２ａ、４２ａ、４２ａとして設けられ、他方がそれぞれ第２の押圧部４２ｂ、４２ｂ、４２ｂとして設けられている。
【００５７】
カム部材４０の凹部４１、４１、４１の下端部には、それぞれ外方へ突の円弧状を為す突出片４３、４３、４３が設けられ、該突出片４３、４３、４３の外面は外方へ突の円弧面に形成されている。突出片４３、４３、４３は、その外面が外側周面部４２、４２、４２より稍外側に位置されている。
【００５８】
カム部材４０の周面には周方向に等間隔に離隔してカム溝４４、４４、４４が形成されている。カム溝４４は下側水平部４４ａと該下側水平部４４ａから離隔するに従って上方へ変位するように傾斜された傾斜部４４ｂと該傾斜部４４ｂに連続する上側水平部４４ｃとから成る。下側水平部４４ａは凹部４１と外側周面部４２とに跨る位置に形成され、傾斜部４４ｂと上側水平部４４ｃは外側周面部４２に形成されている。
【００５９】
カム部材４０の下端部には周方向に延びるギヤ部４５が設けられている。
【００６０】
カム部材４０は図示しない支持軸を介してベースパネル５に回転自在に支持される。
【００６１】
カム部材４０がベースパネル５に支持された状態においては、カム部材４０の外周部が配置用切欠８ａ、８ａ、８ａに対応して位置される。
【００６２】
カム部材４０は図示しない作動モーターの駆動力がギヤ部４５に伝達されて回転され、作動モーターの回転方向に応じた方向へ回転される。
【００６３】
ベースユニット２０は筐体４６に所要の各部が配置又は支持されて成り、筐体４６はアッパーケース４７とベース体４８とが上下で結合されて成る（図１及び図７参照）。
【００６４】
アッパーケース４７は下方に開口された前後方向に長い略矩形の箱状に形成され、天板部４７ａと該天板部４７ａの周縁から下方へ突出された周面部４７ｂと該周面部４７ｂからさらに下方へ突出された突出部４７ｃとが一体に形成されて成り、該突出部４７ｃは後端側に設けられている。従って、アッパーケース４７には、突出部４７ｃが設けられていない部分に突出部４７ｃの高さ分の切欠４７ｄが形成されている。
【００６５】
アッパーケース４７の天板部４７ａの下面には第１の検出スイッチ４９が配置されている。天板部４７ａの下面からは下方へ向けて位置決め軸４７ｅが突出されている。
【００６６】
ベース体４８は前後方向に長い略矩形の浅い箱状に形成され、底壁部４８ａと該底壁部４８ａの周縁から上方へ突出された周壁部４８ｂとが一体に形成されて成り、上方に開口されている。
【００６７】
ベース体４８の内部には前後左右に離隔して上方へ突出された取付ボス４８ｃ、４８ｃ、４８ｃが設けられ（図８参照）、該取付ボス４８ｃ、４８ｃ、４８ｃにそれぞれ上方に開口された螺穴が形成されている。
【００６８】
最も後側に位置する取付ボス４８ｃの直ぐ前側の位置には上方へ突出された位置決めボス４８ｄが設けられ、該位置決めボス４８ｄの上面から位置決めピン４８ｅが上方へ突出されている。
【００６９】
ベース体４８内には、その前端部にスピンドルモーター５０が配置されている（図７、図８及び図１０参照）。スピンドルモーター５０はローター部５０ａとステーター部５０ｂとを有している。ローター部５０ａはローターケース５０ｃの内周面にマグネット５０ｄが取り付けられて成る。ステーター部５０ｂは、周方向に離隔して配置された複数のステーターコイル５０ｅ、５０ｅ、・・・と、該ステーターコイル５０ｅ、５０ｅ、・・・が配置されたステーター基板５０ｆとを有している。
【００７０】
ベース体４８内には光ピックアップ５１がベース体４８の長手方向に移動可能に支持され（図７及び図８参照）、光ピックアップ５１の移動ベース５１ａの左右両端部にそれぞれ被案内部５１ｂ、５１ｃが設けられている。
【００７１】
被案内部５１ｂは、図９に示すように、左方に開口された略コ字状に形成され、上下に延びる基部５１ｄと該基部５１ｄの上下両端部からそれぞれ左方へ突出された上側係合部５１ｅ及び下側係合部５１ｆとから成る。下側係合部５１ｆは移動ベース５１ａの一部として形成され、下側係合部５１ｆにはマグネット５１ｇが設けられている。
【００７２】
被案内部５１ｃは筒状に形成され内面に図示しない螺溝が形成されている。
【００７３】
ベース体４８内にはステッピングモーター５２と該ステッピングモーター５２によって回転されるリードスクリュー５３とが配置されている（図７及び図８参照）。ステッピングモーター５２はベース体４８の周壁部４８ｂの内面に取り付けられたブラケット５２ａを介してベース体４８に取り付けられている。リードスクリュー５３は、その先端部がベース体４８の底壁部４８ａの上面に取り付けられた軸受部材５３ａに回転自在に支持されている。
【００７４】
光ピックアップ５１の一方の被案内部５１ｃにはリードスクリュー５３が貫通された状態で被案内部５１ｃの螺溝に螺合されている。光ピックアップ５１は、ステッピングモーター５２が回転されると、その回転方向に応じた方向へ移動ベース５１ａが送られて前後方向へ移動される。
【００７５】
ベース体４８の底壁部４８ａの後端寄りの位置には、上方へ突出された位置決め筒５４が設けられている。
【００７６】
アッパーケース４７とベース体４８は、例えば、ネジ止めによって突出部４７ｃの下面と周壁部４８ｂの上面とが接した状態で結合され、筐体４６が構成される。筐体４６が構成された状態においては、アッパーケース４７に切欠４７ｄが形成されている分、アッパーケース４７とベース体４８との間にディスク状記録媒体１００が挿入される挿入空間４６ａが形成される（図１参照）。
【００７７】
アッパーケース４７の下面には案内部材５５が取り付けられる（図７参照）。案内部材５５は、図１４に示すように、平板部５６と該平面部５６の左右両側縁からそれぞれ下方へ突出された側板部５７、５７とが一体に形成されて成る。
【００７８】
平板部５６の下面には、その後端部に第２の検出スイッチ５８が取り付けられている。平板部５６の下面には下方へ突出されたガイドピン５６ａ、５６ａ、５６ａが設けられている。平板部５６にはギヤ支持軸５９が設けられ、該ギヤ支持軸５９は平板部５６の下面から下方へ突出されている。平板部５６にはギヤ支持軸５９が設けられ、該ギヤ支持軸５９は平板部５６の下面から下方へ突出されている。平板部５６には軸挿入孔５６ｂが形成されている。
【００７９】
側板部５７、５７にはそれぞれ前後に離隔して２つずつの案内孔５７ａ、５７ａ、・・・が形成され、該案内孔５７ａ、５７ａ、・・・は上下に長くされている。
【００８０】
案内部材５５にはカムスライダー６０が前後方向へ移動自在に支持される（図７参照）。カムスライダー６０は、図１５に示すように、平面板部６１と該平面板部６１の左右両側縁からそれぞれ下方へ突出された側面板部６２、６２とが一体に形成されて成る。
【００８１】
平面板部６１には、左右に離隔して第１の逃げ孔６１ａと第２の逃げ孔６１ｂが形成され、第１の逃げ孔６１ａと第２の逃げ孔６１ｂは何れも前後方向に長くされている。平面板部６１の左右両端部には、それぞれガイド孔６１ｃ、６１ｃ、６１ｃが形成されている。
【００８２】
側面板部６２、６２にはそれぞれ前後に離隔して前側カム孔６３、６３と後側カム孔６４、６４が形成されている（図１５及び図１６参照）。前側カム孔６３は、前後に延びる水平部６３ａと、該水平部６３ａの後端に連続し後方へ行くに従って下方へ傾斜する傾斜部６３ｂと、該傾斜部６３ｂの後端に連続し後方へ行くに従って緩やかに下方へ傾斜する作用部６３ｃとから成る。従って、作用部６３ｃは傾斜部６３ｂより水平部６３ａに対する傾斜角度が小さくされている。後側カム孔６４は、前後に延びる水平部６４ａと、該水平部６４ａの後端に連続し後方へ行くに従って下方へ変位する傾斜部６４ｂと、該傾斜部６４ｂの後端に連続し前後に延びる作用部６４ｃとから成る。
【００８３】
前側カム孔６３、６３の水平部６３ａ、６３ａは後側カム孔６４、６４の水平部６４ａ、６４ａより稍上方に位置されている。従って、図１６に示すように、水平部６３ａ、６３ａの高さ方向における中線Ｍ１は水平部６４ａ、６４ａの高さ方向における中線Ｍ２よりも高い位置にある。
【００８４】
前側カム孔６３、６３の作用部６３ｃ、６３ｃは、上記のように、後方へ行くに従って下方へ変位するように緩やかに傾斜され、その前端部が後側カム孔６４、６４の作用部６４ｃ、６４ｃと同じ位置にある。従って、図１６に示すように、作用部６３ｃ、６３ｃの後端部は作用部６４ｃ、６４ｃの高さ方向における中線Ｍ３より低い位置にある。
【００８５】
カムスライダー６０には、平面板部６１の下面にラック部材６５が取り付けられている（図７及び図１５参照）。
【００８６】
カムスライダー６０及び案内部材５５には支持アーム６６が支持される（図７参照）。支持アーム６６は、図１７に示すように、前後に長いアーム板６７と、該アーム板６７の後端部の左右両側縁からそれぞれ下方へ突出された側板６８、６８とが一体に形成されて成る。
【００８７】
アーム板６７の前端部には支持孔６７ａが形成され、後端部にはギヤ配置孔６７ｂが形成されている。アーム板６７のギヤ配置孔６７ｂの近傍の位置には、軸挿通孔６７ｃが形成されている。アーム板６７の後端寄りの位置には、その左右両側縁にバネ支持孔６７ｄ、６７ｄが形成されている。
【００８８】
アーム板６７の前後両端部を除いた部分には、補強リブ６７ｅ、６７ｅが設けられている。補強リブ６７ｅ、６７ｅはアーム板６７の左右両側縁に設けられ、アーム板６７の一部が上方側に９０°折り曲げられることにより形成されている。
【００８９】
側板６８、６８には、それぞれ前後に離隔して外方へ突出された被支持軸６８ａ、６８ａ、６８ｂ、６８ｂが設けられている。側板６８、６８間には、前側に位置する被支持軸６８ａ、６８ａ間を連結する連結軸６９が設けられている。従って、連結軸６９は側板６８、６８の内面間に位置されている。
【００９０】
側板６８、６８の上端部にはバネ支持片６８ｃ、６８ｃが設けられている。バネ支持片６８ｃ、６８ｃは側板６８、６８の一部が内側に折り曲げられることにより形成され、バネ支持片６８ｃ、６８ｃとアーム板６７間には所定の間隔が形成されている（図１９参照）。
【００９１】
支持アーム６６には線バネ７０が支持されている（図７、図１７及び図１９参照）。線バネ７０は、左右方向に長い基部７０ａと、該基部７０ａの左右両端部からそれぞれ略後方へ突出された前側変形部７０ｂ、７０ｂと、該前側変形部７０ｂ、７０ｂの後端からそれぞれ略後方へ突出された後側変形部７０ｃ、７０ｃと、該後側変形部７０ｃ、７０ｃの後端部から上方へ突出された被支持部７０ｄ、７０ｄが一体に形成されて成り、前側変形部７０ｂ、７０ｂと後側変形部７０ｃ、７０ｃとの連結部分が僅かに折り曲げられた弾接部７０ｅ、７０ｅとして形成されている。
【００９２】
線バネ７０は、被支持部７０ｄ、７０ｄがそれぞれアーム板６７のバネ支持孔６７ｄ、６７ｄに挿入され、後側変形部７０ｃ、７０ｃの後端寄りの部分がそれぞれバネ支持片６８ｃ、６８ｃとアーム板６７との間に挿入され、弾接部７０ｅ、７０ｅが連結軸６９に下方から弾接されて支持アーム６６に支持される。
【００９３】
支持アーム６６は、図１８に示すように、前側に位置する被支持軸６８ａ、６８ａがそれぞれカムスライダー６０の前側カム孔６３、６３及び案内部材５５の前側の案内孔５７ａ、５７ａに挿入され、後側に位置する被支持軸６８ｂ、６８ｂがそれぞれカムスライダー６０の後側カム孔６４、６４及び案内部材５５の後側の案内孔５７ａ、５７ａに挿入されて支持される。従って、カムスライダー６０が案内部材５５に対して前後方向へ移動されると、被支持軸６８ａ、６８ａと被支持軸６８ｂ、６８ｂの前側カム孔６３、６３と後側カム孔６４、６４に対する位置により、被支持軸６８ａ、６８ａ及び被支持軸６８ｂ、６８ｂが案内孔５７ａ、５７ａ、・・・に案内され、支持アーム６６が略上下方向へ移動される。
【００９４】
支持アーム６６にはチャッキングプーリー７１が支持される（図７、図１７、図１８及び図２０参照）。チャッキングプーリー７１は支持板７２と押さえ部材７３とが上下で結合されて成る。
【００９５】
支持板７２は略円板状に形成され、支持アーム６６の支持孔６７ａより大きくされている。支持板７２の中心部には突部挿通孔７２ａが形成されている。
【００９６】
押さえ部材７３は、図２０に示すように、円形状の被取付部７３ａと該被取付部７３ａの周縁から斜め下方へ突出された周面部７３ｂと該周面部７３ｂの下縁に連続する円環状を為す押さえ部７３ｃと被取付部７３ａの下面から下方へ突出された円筒状を為す位置決め突部７３ｄとから成る。位置決め突部７３ｄの下側の内周縁には、下方へ行くに従って位置決め突部７３ｄの外周面に近付く方向へ傾斜された被案内縁７３ｅが形成されている。被取付部７３ａの中心部には上方に突の略半球状を為すピボット突部７３ｆが設けられている。
【００９７】
チャッキングプーリー７１は押さえ部材７３の被取付部７３ａ及び周面部７３ｂが支持孔６７ａに下方から挿入され被取付部７３ａが支持板７２に取り付けられて支持アーム６６に支持される。押さえ部材７３が支持板７２に取り付けられた状態においては、支持板７２からピボット突部７３ｆが上方へ突出される。チャッキングプーリー７１が支持アーム６６に支持された状態においては、軸回り方向へ回転可能及び軸方向（上下方向）へ移動可能とされる。
【００９８】
チャッキングプーリー７１が支持アーム６６に支持された状態において、支持板７２を上方から覆うようにして押さえ板７４がアーム板６７の上面に取り付けられる。
【００９９】
支持アーム６６が案内部材５５及びカムスライダー６０に支持された状態においては、案内部材５５のギヤ支持軸５９がカムスライダー６０の第２の逃げ孔６１ｂを挿通されている。ギヤ支持軸５９には２段ギヤである駆動ギヤ７５が支持される（図７参照）。駆動ギヤ７５は支持アーム６６のギヤ配置孔６７ｂに配置され、その小径部７５ａがカムスライダー６０に取り付けられたラック部材６５に噛合される。
【０１００】
案内部材５５の平板部５６の後端部の下面には駆動ユニット７６が取り付けられる（図７参照）。駆動ユニット７６は、図１８に示すように、取付板７６ａと該取付板７６ａに取り付けられた昇降用モーター７７と取付板７６ａに支持された第１の減速ギヤ７８、第２の減速ギヤ７９とから成る。昇降用モーター７７のモーター軸にはウォーム７７ａが固定され、該ウォーム７７ａに第１の減速ギヤ７８が噛合され該第１の減速ギヤ７８に第２の減速ギヤ７９が噛合されている。
【０１０１】
第２の減速ギヤ７９は駆動ユニット７６が案内部材５５に取り付けられた状態において、駆動ギヤ７５の大径部７５ｂに噛合される。従って、昇降用モーター７７が回転されると、その駆動力が順に第１の減速ギヤ７８、第２の減速ギヤ７９及び駆動ギヤ７５を介してラック部材６５に伝達され、カムスライダー６０が昇降用モーター７７の回転方向に応じた方向（前後方向）へ移動される。
【０１０２】
筐体４６のベース体４８には組付板８０が取り付けられる（図７及び図８参照）。組付板８０は前端側に位置する押さえ部８０ａと該押さえ部８０ａの左端部から後方へ突出された延設部８０ｂとが一体に形成されて成る。組付板８０には前後左右に離隔してネジ挿通孔８０ｃ、８０ｃ、８０ｃが形成され（図８参照）、該ネジ挿通孔８０ｃ、８０ｃ、８０ｃはベース体４８に設けられた取付ボス４８ｃ、４８ｃ、４８ｃに対応した位置に形成されている。
【０１０３】
押さえ部８０ａには後方に開口された略Ｕ字状を為す切欠が形成され、該切欠の開口縁が規制部８０ｄとして設けられている。規制部８０ｄは円弧状に形成された円弧部８０ｅを有し、該円弧部８０ｅは中心角が約１８０°の円弧状に形成されている。
【０１０４】
延設部８０ｂの先端寄りの位置には位置決め孔８０ｆが形成されている。延設部８０ｂの先端部を除いた部分の右側縁部は、上記光ピックアップ５１の被案内部５１ｂが係合される案内部８０ｇとして設けられている。従って、案内部８０ｇには光ピックアップ５１の移動ベース５１ａの被案内部５１ｂが摺動自在に支持される。
【０１０５】
組付板８０は位置決め孔８０ｆにベース体４８の位置決めピン４８ｅが挿入されてベース体４８に対して位置決めされ、ネジ挿通孔８０ｃ、８０ｃ、８０ｃ、をそれぞれ挿通された取付ネジ８０ｈ、８０ｈ、８０ｈが取付ボス４８ｃ、４８ｃ、４８ｃの螺穴に螺合されてベース体４８に取り付けられる。
【０１０６】
支持アーム６６が案内部材５５及びカムスライダー６０に支持された状態においては、アッパーケース４７に設けられた位置決め軸４７ｅが案内部材５５の軸挿入孔５６ｂ、カムスライダー６０の第１の逃げ孔６１ａ及び支持アーム６６のギヤ配置孔６７ｂを挿通されている。アッパーケース４７とベース体４８とが結合されるときには、位置決め軸４７ｅがベース体４８の位置決め筒５４に挿入されてアッパーケース４７とベース体４８との位置決めが行われる。従って、アッパーケース４７とベース体４８との位置決めが容易であり、ベースユニット２０の組立作業における作業性の向上を図ることができる。
【０１０７】
筐体４６内に配置されたスピンドルモーター５０にはディスクテーブル８１が支持されている（図７、図８及び図１０参照）。
【０１０８】
ディスクテーブル８１はスピンドルモーター５０のモーター軸となる中心軸８１ａとテーブル部８２とセンターリング突部８３と付勢バネ８４とによって構成されている（図１０参照）。付勢バネ８４はセンターリング突部８３をテーブル部８２に対して上方へ付勢する付勢手段として機能する。
【０１０９】
テーブル部８２は外形が円形状に形成された基部８５と該基部８５の外周縁から外方へフランジ状に張り出された載置部８６とから成り、基部８５には上方に開口された配置凹部８５ａが形成されている。基部８５の中央部には上下に貫通する固定孔８５ｂが形成され、基部８５の固定孔８５ｂを挟んだ１８０°反対側の位置にそれぞれ上下に貫通する軸支持孔８５ｃ、８５ｃが形成されている。基部８５には軸支持孔８５ｃ、８５ｃに連続してその下側に規制凹部８５ｄ、８５ｄがそれぞれ形成され、該規制凹部８５ｄ、８５ｄは下方に開口され軸支持孔８５ｃ、８５ｃより開口面積が大きくされている。
【０１１０】
基部８５の下端部には周方向に延び外方へ張り出された突条部８５ｅが設けられている。従って、基部８５には突条部８５ｅと載置部８６との間に外方へ開口され周方向に延びる溝部が形成され、該溝部が被規制溝８５ｆとして形成されている。
【０１１１】
基部８５の被規制溝８５ｆには組付板８０の規制部８０ｄが挿入される。
【０１１２】
テーブル部８２の固定孔８５ｂには中心軸８１ａが挿通されて固定されている。中心軸８１ｂは上記スピンドルモーター５０のローターケース５０ｃに圧入されて固定され、ローター部５０ａと一体となって回転される。
【０１１３】
センターリング突部８３は一部がテーブル部８２の配置凹部８５ａに配置された状態とされている。センターリング突部８３の中央部には上下に貫通する被支持孔８３ａが形成され、該被支持孔８３ａに中心軸８１ａの上端部が挿入され、センターリング突部８３が中心軸８１ａにその軸方向に移動自在に支持されている。センターリング突部８３の周面には、上方側から案内用傾斜面８３ｂとセンターリング用傾斜面８３ｃとが形成され、案内用傾斜面８３ｂはセンターリング用傾斜面８３ｃに対して中心軸８１ａの軸方向に対する傾斜角度が大きくされている。
【０１１４】
センターリング突部８３には位置決め凹部８３ｄが形成され、該位置決め凹部８３ｄは被支持孔８３ａの周囲に形成され上方に開口されている。位置決め凹部８３ｄの上側の内周縁には、上方へ行くに従って内方へ変位するように傾斜された案内縁８３ｅが形成されている。
【０１１５】
センターリング突部８３には被支持孔８３ａを挟んだ互いに１８０°反対側の位置にそれぞれ軸固定孔８３ｇ、８３ｇが形成され、該軸固定孔８３ｇ、８３ｇは上下に延び下方に開口されている。
【０１１６】
センターリング突部８３には被支持孔８３ａの周囲に下方に開口されたバネ支持凹部８３ｈが形成されている。
【０１１７】
バネ支持凹部８３ｈには圧縮コイルバネである付勢バネ８４が配置され、該付勢バネ８４がテーブル部８２とセンターリング突部８３とに弾接されている。従って、センターリング突部８３は付勢バネ８４によってテーブル部８２に対して上方へ付勢され、テーブル部８２の配置凹部８２ａの底面とセンターリング突部８３の下面との間に、センターリング突部８３を移動させるための一定の間隔が形成される。
【０１１８】
テーブル部８２の軸支持孔８５ｃ、８５ｃにはそれぞれ抜け止め軸８７、８７が挿入され、該抜け止め軸８７、８７の上端側の部分がセンターリング突部８３の軸固定孔８３ｇ、８３ｇに挿入されて固定されている。抜け止め軸８７、８７は軸支持孔８５ｃ、８５ｃに対しては摺動可能とされている。
【０１１９】
抜け止め軸８７、８７の下端部にはそれぞれ抜け止め部８７ａ、８７ａが設けられ、該抜け止め部８７ａ、８７ａは、例えば、所謂Ｅリングである。抜け止め部８７ａ、８７ａはそれぞれテーブル部８２の規制凹部８５ｄ、８５ｄに位置されている。抜け止め部８７ａ、８７ａが規制凹部８５ｄ、８５ｄの上面に接することにより、付勢バネ８４によって上方へ付勢されたセンターリング突部８３の中心軸８１ａからの脱落が防止される。
【０１２０】
ディスク状記録媒体１００の中心孔１００ａにセンターリング突部８３が下方から挿入されるときには、ディスク状記録媒体１００の内周縁がセンターリング突部８３の案内用傾斜面８３ｂに案内されてセンターリング用傾斜面８３ｃに接する。ディスク状記録媒体１００の中心孔１００ａにセンターリング突部８３が挿入されると、上記チャッキングプーリー７１が下降され、ディスクテーブル８１とチャッキングプーリー７１とによってディスク状記録媒体１００の内周部が挟持されて該ディスク状記録媒体１００がチャッキングされる。
【０１２１】
このときチャッキングプーリー７１の位置決め突部７３ｄの被案内縁７３ｅがディスクテーブル８１の位置決め凹部８３ｄの案内縁８３ｅに案内され、位置決め突部７３ｄが位置決め凹部８３ｄに挿入されてチャッキングプーリー７１とディスクテーブル８１との位置決めが行われる。同時に、ディスク状記録媒体１００の内周縁がセンターリング突部８２のセンターリング用傾斜面８３ｃに接した状態において、チャッキングプーリー７１の下降に伴ってディスク状記録媒体１００とセンターリング突部８３とが一体となって付勢バネ８４の付勢力に抗して下方へ移動されることにより、中心軸８１ａに対するディスク状記録媒体１００の位置決め（センターリング）が行われる。
【０１２２】
上記のように、センターリング突部８３をテーブル部８２に対して中心軸８１ａの軸方向へ移動可能とすることにより、ディスク状記録媒体１００の中心孔１００ａの径のバラツキが吸収され良好な精度でディスク状記録媒体１００の中心軸８１ａに対するセンターリングが行われる。
【０１２３】
ディスク状記録媒体１００がチャッキングされた状態においては、テーブル部８２の載置部８６に押し付けられたディスク状記録媒体１００にチャッキングプーリー７１が圧着される。
【０１２４】
尚、上記には、ディスクテーブル８１に２つの抜け止め軸８７、８７を設けた例を示したが、抜け止め軸８７、８７の数は任意であり、３つ以上設けた場合には、中心軸８１ａを中心とした周囲に周方向に等間隔に、かつ、中心軸８１ａからの距離が同じとなる位置に設けることが望ましい。
【０１２５】
以下に、組付板８０のベース体４８への取付手順を説明する（図１１乃至図１３参照）。
【０１２６】
先ず、組付板８０をベース体４８に対して前方側からスライドさせるようにして規制部８０ｄをディスクテーブル８１の被規制溝８１ｆに挿入する（図１１参照）。
【０１２７】
このようにディスクテーブル８１の被規制溝８１ｆに組付板８０の規制部８０ｄが挿入されるため、例えば、外部からの振動、光ピックアップ５１の駆動時、ディスクドライブ装置１の輸送時等に、ディスクテーブル８１にスピンドルモーター５０から離隔する方向（上方）への移動力が付与されても、規制部８０ｄによって当該移動が規制され、ディスクテーブル８１の脱落が防止される。
【０１２８】
次に、光ピックアップ５１の被案内部５１ｂの上側係合部５１ｅと下側係合部５１ｆとの間に延設部８０ｂの案内部８０ｇを挿入する（図１２参照）。このとき延設部８０ｂを稍後上がりに傾斜させて案内部８０ｇを被案内部５１ｂに挿入して係合し、延設部８０ｂの先端部を位置決めピン４８ｅの上側に位置させる。延設部８０ｂが水平となるようにその先端部を下降することにより、位置決め孔８０ｆに位置決めピン４８ｅを挿入し、組付板８０のベース体４８に対する位置決めを行う（図１３参照）。
【０１２９】
案内部８０ｇに被案内部５１ｂが挿入されて係合された状態においては、被案内部５１ｂに設けられたマグネット５１ｇが磁性材料によって形成された組付板８０の案内部８０ｇに引き寄せられ、下側係合部５１ｆの上面が案内部８０ｇの下面に当接した状態とされる。従って、光ピックアップ５１は下側係合部５１ｆの上面が案内部８０ｇの下面に接した状態で、前後方向、即ち、ディスク状記録媒体１００の半径方向へ移動される。
【０１３０】
最後に、上記したように、取付ネジ８０ｈ、８０ｈ、８０ｈをそれぞれ取付ボス４８ｃ、４８ｃ、４８ｃの螺穴に螺合することにより組付板８０のベース体４８への取付を完了する。
【０１３１】
上記したように、ディスクドライブ装置１にあっては、ベース体４８に対して着脱可能とされた組付板８０にディスクテーブル８１の脱落を防止するための規制部８０ｄと光ピックアップ５１を案内するための案内部８０ｇとが一体に形成されているため、ディスクテーブル８１の脱落を防止するための専用の部材及び光ピックアップ５１を案内するための専用の部材を必要とせず、ディスクドライブ装置１の構造の簡素化及び部品点数の削減を図ることができる。
【０１３２】
また、専用の各部材をベース体４８に取り付けるための工程を必要としないため、ディスクドライブ装置１の各部品の組付工数が減少し、組付作業における作業性の向上及びメンテナンス性の向上を図ることができる。
【０１３３】
さらに、組付板８０を略Ｕ字状に形成し規制部８０ｄに円弧部８０ｅを設けているため、組付板８０をスライドさせるようにしてベース体４８に対して着脱することができ、組付板８０のベース体４８に対する着脱を容易に行うことができる。
【０１３４】
さらにまた、規制部８０ｄの円弧部８０ｅを中心角が１８０°以上の円弧状に形成したので、ディスクテーブル８１の脱落方向への移動を規制する規制力が分散され、規制部８０ｄによる規制力の向上を図ることができる。
【０１３５】
加えて、組付板８０を磁性材料によって形成し、光ピックアップ５１の被案内部５１ｂにマグネット５１ｇを設けているため、マグネット５１ｇが組付板８０の案内部８０ｇに引き寄せられ、光ピックアップ８１がフォーカシング方向への振れがない安定した状態でディスク状記録媒体１００の半径方向へ移動され、情報信号の記録エラー及び再生エラーの発生を防止することができる。
【０１３６】
被案内部５１ｂにマグネット５１ｇを設け組付板８０の案内部８０ｇに引き寄せられるようにすることは、光ピックアップ５１の自重が軽くフォーカシング方向へ振れ易い場合や所謂縦置き型のディスクドライブ装置のように光ピックアップ５１が垂直状態で位置される場合に特に有効である。
【０１３７】
尚、上記には、マグネット５１ｇを被案内部５１ｂの下側係合部５１ｆに設けた例を示したが、逆に、マグネット５１ｇを被案内部５１ｂの上側係合部５１ｅに設けることもできる。この場合には、光ピックアップ５１は、上側係合部５１ｅの下面が案内部８０ｇの上面に接した状態でディスク状記録媒体１００の半径方向へ移動される。
【０１３８】
次に、ディスクドライブ装置１の動作について説明する（図２１乃至図３７参照）。
【０１３９】
ディスクドライブ装置１にあっては、操作釦９、９、・・・のうちの電源釦が操作されて通電状態とされることにより動作が開始可能とされる。先ず、動作が開始される前の各部の初期状態について説明する。
【０１４０】
初期状態においては、図２１に示すように、ベースユニット２０はインナーカバー３３内においてガイド部材１９、１９間のユニット収容部１９ａに収容されている。ベースユニット２０がユニット収容部１９ａに収容された状態にあっては、図２２に示すように、支持アーム６６の被支持軸６８ａ、６８ａ、６８ｂ、６８ｂがそれぞれ案内部材５５の案内孔５７ａ、５７ａの上端部に係合されると共にカムスライダー６０の前側カム孔６３、６３の水平部６３ａ、６３ａ、後側カム孔６４、６４の水平部６４ａ、６４ａに係合されている。従って、カムスライダー６０は移動範囲における後方側の移動端に保持され、支持アーム６６は移動範囲における上方側の移動端に保持されている。このときカムスライダー６０の平面板部６１の後端面によって案内部材５５に設けられた第２の検出スイッチ５８が操作され（図２２参照）、カムスライダー６０が移動範囲における後方側の移動端に位置されていることが検出されている。
【０１４１】
上記のように、前側カム孔６３、６３の水平部６３ａ、６３ａが後側カム孔６４、６４の水平部６４ａ、６４ａより稍高い位置にあるため、支持アーム６６が移動範囲における上方側の移動端に保持され状態にあっては、支持アーム６６は稍前上がりの状態とされている（図２２参照）。
【０１４２】
初期状態にあっては、カバー２は記録媒体載置部１０及びインナーカバー３３を閉塞する閉塞位置にある（図２１参照）。
【０１４３】
初期状態にあっては、カム部材４０の突出片４３、４３、４３は、図２３に示すように、それぞれベースパネル５の支持筒部８、８、８の配置用切欠８ａ、８ａ、８ａに対応して位置され、突出片４３、４３、４３はそれぞれ回転体３４、３４、３４の第２のゼネバ面３８、３８、３８に係合されている。従って、回転体３４、３４、３４の回転が規制されている。回転体３４、３４、３４は下方側の移動端に位置されており、図２４に示すように、ベースパネル５のディスク載置面１１から上方へ突出されていない。
【０１４４】
回転体３４、３４、３４の摺動ピン３９、３９、３９はカム部材４０のカム溝４４、４４、４４に挿入されていない（図２４参照）。
【０１４５】
回転体３４、３４、３４は、上記のように、回転が規制されており、ディスクセンターリング部３５、３５、３５が最も外側に位置されている（図２３参照）。従って、ディスクセンターリング部３５、３５、３５はディスク載置面１１の直ぐ外側に位置されている。
【０１４６】
ディスクドライブ装置１にあっては、上記したように、カバー２がベースパネル５に対して着脱可能とされており、カバー２がベースパネル５から取り外された状態とカバー２がベースパネル５に取り付けられた状態とでは動作が異なるが、以下には、先ず、カバー２がベースパネル５に取り付けられた状態における動作について説明する。
【０１４７】
電源釦が操作され通電された状態において、オープン釦が操作されると、カバー駆動部２８によってカバー２が移動され、該カバー２が記録媒体載置部１０を開放する開放位置まで移動される（図２５参照）。
【０１４８】
カバー２が開放位置に移動された状態において、ディスク状記録媒体１００をディスク載置面１１の任意の位置に載置し（図２６参照）クローズ釦を操作する。
【０１４９】
ディスクドライブ装置１にあっては、後述するように、回転体３４、３４、３４のディスクセンターリング部３５、３５、３５がセンターリング位置へ向けて移動されディスク載置面１１に載置されたディスク状記録媒体１００の外周縁に接してセンターリングするため、ディスク状記録媒体１００をディスク載置面１１の任意の位置に載置することができ、ユーザーのディスク状記録媒体１００の取り扱いが容易である。
【０１５０】
ディスク状記録媒体１００がディスク載置面１１に載置されると、検出センサー１８、１８、１８によってディスク状記録媒体１００の存在が検出される。
【０１５１】
クローズ釦が操作されると、カバー２がカバー駆動部２８によって閉塞位置まで移動され、記録媒体載置部１０が閉塞される（図２７参照）。記録媒体載置部１０は、上記したように、浅い凹状に形成されているため、ディスク状記録媒体１００はベースパネル５の上面から上方へ突出されておらず、カバー２が閉塞位置へ向けて移動されたときにディスク載置面１１に載置されたディスク状記録媒体１００と接触することがない。
【０１５２】
次に、プレイ釦を操作すると作動モーターが起動されカム部材４０が回転されて回転体３４、３４、３４によるディスク状記録媒体１００のセンターリング動作が開始される。尚、このように、クローズ釦を操作した後にプレイ釦を操作したときにセンターリング動作が開始されるようにしてもよいが、カバー２が開放位置にあるときにプレイ釦を操作することにより、カバー２の開放位置から閉塞位置への移動と回転体３４、３４、３４によるセンターリング動作とが連続して行われるようにしてもよい。
【０１５３】
センターリング動作が開始されると、カム部材４０が図２３に示すＲ１方向へ回転される。
【０１５４】
カム部材４０が図２３に示すＲ１方向へ回転されると、突出片４３、４３、４３がそれぞれ回転体３４、３４、３４の第２のゼネバ面３８、３８、３８に摺接され、回転体３４、３４、３４は回転されず、カム部材４０の第１の押圧部４２ａ、４２ａ、４２ａが回転体３４、３４、３４に接近されていく。
【０１５５】
カム部材４０の回転により第１の押圧部４２ａ、４２ａ、４２ａによって回転体３４、３４、３４の第１のゼネバ面３６、３６、３６が押圧され（図２８参照）、回転体３４、３４、３４が図２８に示すＳ１方向へ回転される。回転体３４、３４、３４がＳ１方向へ回転されると、回転体３４、３４、３４の摺動ピン３９、３９、３９がそれぞれカム部材４０のカム溝４４、４４、４４の下側水平部４４ａ、４４ａ、４４ａに挿入される（図２９参照）。
【０１５６】
回転体３４、３４、３４のＳ１方向への回転により、ディスクセンターリング部３５、３５、３５がディスク状記録媒体１００をセンターリングするセンターリング位置へ向けて回転され、ディスク状記録媒体１００は中心が基準点１１ａに一致されるようにディスクセンターリング部３５、３５、３５に押圧されて移動されていく（図２８参照）。
【０１５７】
ディスク状記録媒体１００の中心軸が基準点１１ａに一致されたところでディスク状記録媒体１００のセンターリングが完了する（図３０参照）。
【０１５８】
カム部材４０が引き続き回転されると、回転体３４、３４、３４の摺動ピン３９、３９、３９がカム溝４４、４４、４４の下側水平部４４ａ、４４ａ、４４ａから傾斜部４４ｂ、４４ｂ、４４ｂへ向けて相対的に移動される（図３１参照）。従って、回転体３４、３４、３４が上方へ移動されてディスク載置面１１から上方へ突出され、ディスク状記録媒体１００が持ち上げられていく。このとき回転体３４、３４、３４は、図３２に示すように、第１のゼネバ面３６、３６、３６がそれぞれカム部材４０の外側周面部４２、４２、４２に摺接されるため、回転体３４、３４、３４は回転されない。
【０１５９】
カム部材４０が引き続き回転され、回転体３４、３４、３４の摺動ピン３９、３９、３９がそれぞれカム溝４４、４４、４４の傾斜部４４ｂ、４４ｂ、４４ｂから上側水平部４４ｃ、４４ｃ、４４ｃまで相対的に移動されると、回転体３４、３４、３４は上方側の移動端まで移動され、ディスク状記録媒体１００がセンターリング位置に至る（図３３及び図３４参照）。回転体３４、３４、３４の摺動ピン３９、３９、３９がそれぞれ上側水平部４４ｃ、４４ｃ、４４ｃまで相対的に移動されたところで、作動モーターの回転が停止されカム部材４０の回転が停止される。
【０１６０】
続いて、ユニット駆動部２３によってベースユニット２０、コントロール基板２１及び配置ベース２２が一体となって、回転体３４、３４、３４によって持ち上げられたディスク状記録媒体１００に近付く方向（図３４に示すＬ１方向）へ移動される。
【０１６１】
ベースユニット２０の移動によりディスクテーブル８１及びチャッキングプーリー７１がディスク状記録媒体１００の中心部に位置されたところでベースユニット２０のＬ１方向への移動が停止される（図３５参照）。このときディスク状記録媒体１００は回転体３４、３４、３４によってディスク載置面１１から持ち上げられており、チャッキングプーリー７１とディスクテーブル８１との間にディスク状記録媒体１００が相対的に挿入される。
【０１６２】
ベースユニット２０がＬ１方向へ移動されたときには、上記したように、支持アーム６６が稍前上がりの状態とされているため、チャッキングプーリー７１とディスクテーブル８１との間の間隔が広くされており、支持アーム６６に自重等により若干の撓みが生じていたとしても、チャッキングプーリー７１がディスク状記録媒体１００に接触せずチャッキングプーリー７１とディスクテーブル８１との間にディスク状記録媒体１００を円滑に挿入することができ、動作の信頼性の向上を図ることができる。
【０１６３】
ベースユニット２０のＬ１方向への移動が停止されると、引き続いて、作動モーターが先程とは逆方向へ回転されてカム部材４０が図３２に示すＲ２方向へ回転され、回転体３４、３４、３４の摺動ピン３９、３９、３９がカム溝４４、４４、４４の上側水平部４４ｃ、４４ｃ、４４ｃから傾斜部４４ｂ、４４ｂ、４４ｂへ向けて相対的に移動され、回転体３４、３４、３４は回転しながら下降されて初期状態に戻る。カム部材４０も作動モーターが停止されたところで初期状態に戻る。
【０１６４】
回転体３４、３４、３４が下降されると、ディスク状記録媒体１００が回転体３４、３４、３４に伴って下降され、中心孔１００ａにディスクテーブル８１のセンターリング突部８３が挿入され、ディスク状記録媒体１００の内周縁がセンターリング用傾斜面８３ｃに接する。従って、回転体３４、３４、３４はディスク状記録媒体１００から下方に離隔される。
【０１６５】
回転体３４、３４、３４がディスク状記録媒体１００から下方へ離隔され初期状態に戻ると、案内部材５５に取り付けられた駆動ユニット７６の昇降用モーター７７が回転される。昇降用モーター７７が回転されると、駆動ギヤ７５に噛合されているラック部材６５が前方へ送られてカムスライダー６０が前方へスライドされていく。
【０１６６】
カムスライダー６０が前方へスライドされていくと、支持アーム６６の被支持軸６８ａ、６８ａ、６８ｂ、６８ｂがカムスライダー６０の前側カム孔６３、６３、後側カム孔６４、６４及び案内部材５５の案内孔５７ａ、５７ａ内を相対的に移動される。被支持軸６８ａ、６８ａ、６８ｂ、６８ｂは、図３６に示すように、前側カム孔６３、６３の水平部６３ａ、６３ａから傾斜部６３ｂ、６３ｂ、後側カム孔６４、６４の水平部６４ａ、６４ａから傾斜部６４ｂ、６４ｂ内を移動されると共に案内孔５７ａ、５７ａ内を下方へ向けて移動される。従って、カムスライダー６０は案内孔５７ａ、５７ａに案内されて下方へ移動され、該カムスライダー６０に支持されたチャッキングプーリー７１がディスク状記録媒体１００に近付く方向へ移動されていく。
【０１６７】
カムスライダー６０がさらに前方へ移動されると、図３７に示すように、被支持軸６８ａ、６８ａ、６８ｂ、６８ｂは前側カム孔６３、６３の傾斜部６３ｂ、６３ｂから作用部６３ｃ、６３ｃ、後側カム孔６４、６４の傾斜部６４ｂ、６４ｂから作用部６４ｃ、６４ｃ内を移動されると共に案内孔５７ａ、５７ａ内をさらに下方へ向けて移動される。従って、支持アーム６６はさらに下方へ向けて移動され、チャッキングプーリー７１が下降されてディスク状記録媒体１００が押さえ部７３ｃによって下方へ押圧され、ディスク状記録媒体１００とセンターリング突部８３とが一体となって付勢バネ８４の付勢力に抗して下方へ移動される。
【０１６８】
支持アーム６６がさらに下方へ移動されるときには、被支持軸６８ａ、６８ａが緩やかに後下がりに傾斜された作用部６３ｃ、６３ｃ内を移動され、被支持軸６８ｂ、６８ｂが水平な作用部６４ｃ、６４ｃ内を移動される。従って、支持アーム６６は被支持軸６８ｂ、６８ｂを支点として図３７に示すＰ方向、即ち、チャッキングプーリー７１がディスク状記録媒体１００に近付く方向へ低速で回動される。支持アーム６６が被支持軸６８ｂ、６８ｂを支点として回動されることにより、チャッキングプーリー７１がディスクテーブル８１の載置部８６に押し付けられたディスク状記録媒体１００に圧着され、ディスクテーブル８１とチャッキングプーリー７１とによってディスク状記録媒体１００の内周部が挟持されて該ディスク状記録媒体１００がチャッキングされる。ディスク状記録媒体１００がチャッキングされた状態においては、チャッキングプーリー７１のピボット突部７３ｆが押さえ板７４の下面に接し、該押さえ板７４によってチャッキングプーリー７１が押さえられている。
【０１６９】
上記のようにディスク状記録媒体１００がチャッキングされるときに、支持アーム６６が低速で回動されることにより、チャッキングプーリー７１のディスク状記録媒体１００への圧着時の静音性の向上を図ることができると共にチャッキングプーリー７１の接触によるディスク状記録媒体１００の傷付き、損傷、変形を防止することができる。
【０１７０】
また、前側カム孔６３、６３の作用部６３ｃ、６３ｃが傾斜されているため、支持アーム６６の被支持軸６８ａ、６８ａを作用部６３ｃ、６３ｃ内で移動させるための昇降用モーター７７の駆動力が小さくて済み、ディスクドライブ装置１の円滑な動作を確保することができる。
【０１７１】
ディスク状記録媒体１００がチャッキングされたときには、カムスライダー６０が移動範囲における前方側の移動端に位置されており、カムスライダー６０の平面板部６１の前端によってアッパーケース４７に取り付けられた第１の検出スイッチ４９が操作される（図３７参照）。従って、第１の検出スイッチ４９によってカムスライダー６０が移動範囲における前方側の移動端に位置されていることが検出され、昇降用モーター７７の回転が停止される。
【０１７２】
ディスク状記録媒体１００のチャッキングが完了されると、スピンドルモーター５０が回転され、該スピンドルモーター５０の回転に伴ってディスクテーブル８１、ディスク状記録媒体１００及びチャッキングプーリー７１が一体となって回転されると共に光ピックアップ５１の駆動によって、例えば、ディスク状記録媒体１００に対する情報信号の再生が行われる。チャッキングプーリー７１はピボット突部７３ｆが押さえ板７４の下面に接した状態で回転される。
【０１７３】
ディスク状記録媒体１００に対する情報信号の再生が終了すると、昇降用モーター７７が先程とは逆方向へ回転され、カムスライダー６０が後方へ移動されて支持アーム６６が上方へ移動される。従って、ディスク状記録媒体１００に対するチャッキングプーリー７１とディスクテーブル８１とによるチャッキングが解除される。ディスク状記録媒体１００のチャッキングが解除されると、ディスク状記録媒体１００はディスクテーブル８１に載置された状態とされる。
【０１７４】
カムスライダー６０の後方への移動により、平面板部６１の後端面によって第２の検出スイッチ５８が操作されカムスライダー６０が移動範囲における後方側の移動端に位置されていることが検出されることにより、昇降用モーター７７が停止されカムスライダー６０及び支持アーム６６が初期状態に戻る。
【０１７５】
続いて、作動モーターが回転されてカム部材４０がＲ１方向へ回転され、回転体３４、３４、３４の摺動ピン３９、３９、３９がカム溝４４、４４、４４の傾斜部４４ｂ、４４ｂ、４４ｂから上側水平部４４ｃ、４４ｃ、４４ｃまで相対的に移動され、回転体３４、３４、３４の上面３４ａ、３４ａ、３４ａがディスク状記録媒体１００の下面に接してディスク状記録媒体１００を持ち上げると共にディスクセンターリング部３５、３５、３５がディスク状記録媒体１００の外周縁に接する。従って、ディスク状記録媒体１００はディスクテーブル８１から上方へ持ち上げられる。回転体３４、３４、３４の上面３４ａ、３４ａ、３４ａがディスク状記録媒体１００の下面に接してディスク状記録媒体１００を持ち上げると共にディスクセンターリング部３５、３５、３５がディスク状記録媒体１００の外周縁に接すると、作動モーターの回転が停止されてカム部材４０の回転が停止される。
【０１７６】
回転体３４、３４、３４によってディスク状記録媒体１００が持ち上げられると、ユニット駆動部２３によってベースユニット２０、コントロール基板２１及び配置ベース２２が一体となって図３４に示すＬ２方向へ移動され、ベースユニット２０がユニット収容部１９ａに収容される。
【０１７７】
ベースユニット２０が後方へ移動されユニット収容部１９ａに収容されたときには、ディスク状記録媒体１００は回転体３４、３４、３４によって持ち上げられており、オープン釦を操作してカバー２を開放位置に移動させることにより、ユーザーはディスク状記録媒体１００を把持してディスクドライブ装置１から取り出すことができる。
【０１７８】
ディスク状記録媒体１００がディスクドライブ装置１から取り出されると、検出センサー１８、１８、１８によってディスク状記録媒体１００が存在しない旨が検出される。
【０１７９】
検出センサー１８、１８、１８によってディスク状記録媒体１００が存在しない旨が検出されると、作動モーターが回転されてカム部材４０がＲ２方向へ回転され、回転体３４、３４、３４が下方へ移動され初期状態に戻る。
【０１８０】
尚、上記には、ベースユニット２０が後方へ移動された直後にディスク状記録媒体１００をディスクドライブ装置１から取り出す例を示したが、これに代えて、例えば、ベースユニット２０の後方への移動に引き続き、回転体３４、３４、３４を下方へ移動させてディスク状記録媒体１００を一旦ディスク載置面１１に載置させるようにしてもよい。
【０１８１】
この場合には、再び、回転体３４、３４、３４によってディスク状記録媒体１００を持ち上げて、所定の位置で停止させることによりディスク状記録媒体１００とベースパネル５のディスク載置面１１との間に一定の空間を形成し、ユーザーのディスク状記録媒体１００の取出を容易に行うことができるようにすればよい。
【０１８２】
上記した実施の形態において示した各部の形状及び構造は、何れも本発明の実施に際しての具体化のほんの一例を示したものに過ぎず、これらによって、本発明の技術的範囲が限定的に解釈されることがあってはならないものである。
【図面の簡単な説明】
【０１８３】
【図１】図２乃至図３７と共に本発明の最良の実施の形態を示すものであり、本図はカバー及びインナーカバーを分離した状態で示すディスクドライブ装置の斜視図である。
【図２】カバーを分離した状態で示すディスクドライブ装置の斜視図である。
【図３】カバーの概略底面図である。
【図４】記録媒体載置部と回転体とカム部材とを示す分解斜視図である。
【図５】回転体とカム部材との関係を示す拡大断面図である。
【図６】カム部材の拡大斜視図である。
【図７】べースユニットの分解斜視図である。
【図８】べースユニットの一部を示す拡大分解斜視図である。
【図９】移動ベースの一方の被案内部と組付板の案内部を示す拡大断面図である。
【図１０】ディスクテーブルとスピンドルモーターを示す拡大断面図である。
【図１１】図１２及び図１３と共に組付板のベース体への取付手順を示すものであり、本図は組付板の規制部がディスクテーブルの被規制溝に挿入される直前の状態を示す拡大斜視図である。
【図１２】図１１に引き続き、組付板の延設部が光ピックアップの被案内部に係合された状態を示す拡大側面図である。
【図１３】図１２に引き続き、組付板がベース体に対して位置決めされた状態を示す拡大斜視図である。
【図１４】案内部材と駆動ギヤを示す拡大斜視図である。
【図１５】カムスライダーを示す拡大斜視図である。
【図１６】カムスライダーの拡大側面図である。
【図１７】支持アームとチャッキングプーリーを示す拡大斜視図である。
【図１８】支持アームが案内部材及びカムスライダーに支持された状態を駆動ユニットを分離した状態で示す拡大斜視図である。
【図１９】図１７のＸＩＸ―ＸＩＸ線に沿う拡大断面図である。
【図２０】チャッキングプーリーとディスクテーブルを示す拡大断面図である。
【図２１】図２２乃至図３４と共にディスクドライブ装置の動作を示すものであり、本図は初期状態を示すディスクドライブ装置の斜視図である。
【図２２】チャッキングプーリーとディスクテーブルとの間にディスク状記録媒体が挿入された状態を一部を断面にして示す側面図である。
【図２３】センターリング動作が行われる前の初期状態を示す平面図である。
【図２４】センターリング動作が行われる前の状態を示す拡大断面図である。
【図２５】カバーが開放位置に移動された状態を示す斜視図である。
【図２６】ディスク載置面に対するディスク状記録媒体の載置可能位置を示す概略平面図である。
【図２７】ディスク載置面にディスク状記録媒体が載置された状態でカバーが閉塞位置に移動された状態を示す斜視図である。
【図２８】センターリング動作が開始された直後の状態を示す平面図である。
【図２９】センターリング動作が開始されディスクセンターリング部材の摺動ピンがカム部材のカム溝の下側水平部に挿入された状態を示す拡大断面図である。
【図３０】ディスク状記録媒体のセンターリングが完了した状態を示す平面図である。
【図３１】摺動ピンがカム溝の傾斜部に挿入されディスクセンターリング部材によってディスク状記録媒体が持ち上げられている状態を示す拡大断面図である。
【図３２】ディスクセンターリング部材によってディスク状記録媒体が持ち上げられているときに、ディスクセンターリング部材の回転が規制されている状態を示す平面図である。
【図３３】摺動ピンがカム溝の上側水平部に挿入されディスク状記録媒体がチャッキング位置まで持ち上げられた状態を示す拡大断面図である。
【図３４】ディスク状記録媒体のセンターリングが完了した状態をカバーを取り外して示す斜視図である。
【図３５】ディスク状記録媒体のセンターリングが完了しベースユニットがユニット収容部から引き出された状態をカバーを取り外して示す斜視図である。
【図３６】チャッキング動作が行われている途中の状態を一部を断面にして示す側面図である。
【図３７】チャッキング動作が完了した状態を一部を断面にして示す側面図である。
【図３８】従来のディスクドライブ装置に設けられた脱落防止機構を示す拡大側面図である。
【符号の説明】
【０１８４】
１００…ディスク状記録媒体、１…ディスクドライブ装置、４８…ベース体、５０…スピンドルモーター、５１…光ピックアップ、５１ｂ…被案内部、５１ｇ…マグネット、８０…組付板、８０ｄ…規制部、８０ｅ…円弧部、８０ｇ…案内部、８１…ディスクテーブル、８１ａ…中心軸、８５ｆ…被規制溝
【図１】
2005038528.tif 000003
【図２】
2005038528.tif 000004
【図３】
2005038528.tif 000005
【図４】
2005038528.tif 000006
【図５】
2005038528.tif 000007
【図６】
2005038528.tif 000008
【図７】
2005038528.tif 000009
【図８】
2005038528.tif 000010
【図９】
2005038528.tif 000011
【図１０】
2005038528.tif 000012
【図１１】
2005038528.tif 000013
【図１２】
2005038528.tif 000014
【図１３】
2005038528.tif 000015
【図１４】
2005038528.tif 000016
【図１５】
2005038528.tif 000017
【図１６】
2005038528.tif 000018
【図１７】
2005038528.tif 000019
【図１８】
2005038528.tif 000020
【図１９】
2005038528.tif 000021
【図２０】
2005038528.tif 000022
【図２１】
2005038528.tif 000023
【図２２】
2005038528.tif 000024
【図２３】
2005038528.tif 000025
【図２４】
2005038528.tif 000026
【図２５】
2005038528.tif 000027
【図２６】
2005038528.tif 000028
【図２７】
2005038528.tif 000029
【図２８】
2005038528.tif 000030
【図２９】
2005038528.tif 000031
【図３０】
2005038528.tif 000032
【図３１】
2005038528.tif 000033
【図３２】
2005038528.tif 000034
【図３３】
2005038528.tif 000035
【図３４】
2005038528.tif 000036
【図３５】
2005038528.tif 000037
【図３６】
2005038528.tif 000038
【図３７】
2005038528.tif 000039
【図３８】
2005038528.tif 000040